(57)【要約】      （修正有）【課題】好ましい強度を具え、変形しにくく、スチール製の芯材が錆びにくい手摺子を提供する。【解決手段】支持柱１０と、装飾部２０とによって構成する。支持柱１０は、鉄材によってなる桿体であって、上端に第１連結部１１を設け、下端に第２連結部１２を設け、かつ支持柱１０を、外周面にねじ山１２２，１３を形成する上部１０ｂ及び下部１０ｃと、ねじ山を形成しない中間部１０ａとに分けるとともに、上部１０ｂと、中間部１０ａと、下部１０ｃの外周面を被覆材２１で被覆する。装飾部２０は、プラスチック材によってなり、支持柱体１０の被覆材２１と一体に形成する。【選択図】図４
0003186083.tif 000002
【実用新案登録請求の範囲】
【請求項１】
支持柱と、装飾部とによってなる手摺子であって、
該支持柱は、鉄材によってなる桿体であって、上端に第１連結部を設け、下端に第２連結部を設け、かつ該支持柱を、外周面にねじ山を形成する上部及び下部と、ねじ山を形成しない中間部とに分けるとともに、該上部と、該中間部と、該下部の外周面を被覆材で被覆し、
該装飾部はプラスチック材によってなり、該支持柱体の被覆材と一体に形成することを特徴とする手摺子。
【請求項２】
前記支持柱の第１連結部が、第１固定部材を介して手摺に連結し、かつ該第１固定部材が接着剤によって固定することを特徴とする請求項１に記載の手摺子。
【請求項３】
前記支持柱の第１連結部が、第１固定部材を介して手摺に連結し、かつ該第１固定部材が嵌着されて固定することを特徴とする請求項１に記載の手摺子。
【請求項４】
前記支持柱の第２連結部が、第２固定部材を介してスラブに連結し、かつ該第２固定部材が接着剤によって固定することを特徴とする請求項１に記載の手摺子。
【請求項５】
前記支持柱の第２連結部が、第２固定部材を介してスラブに連結し、かつ該第２固定部材がセメントによって固定することを特徴とする請求項１に記載の手摺子。
【請求項６】
前記支持柱の第２連結部が、第２固定部材を介してスラブに連結し、かつ該第２固定部材がスラブに埋設するアンカーであることを特徴とする請求項１に記載の手摺子。
【請求項７】
前記第２連結部が円柱状を呈し、かつ外周面にねじ山１２２を形成することを特徴とする請求項１に記載の手摺子。
【考案の詳細な説明】
【技術分野】
【０００１】
この考案は、手摺子の改良構造に関するものである。
【背景技術】
【０００２】
従来の手摺りは、そのほとんどが天然の木材によってなる。家具、樹木が木材用に伐採できるまで成長するには長い期間を必要とする。だが、家具、もしくは建築物などに係る木材のニーズは極めて高く、木材の供給量を大きく上回っている。このため必然と品不足になり、価格も高騰する。
【０００３】
また、例えば松などの十分成長していない再造林の木材、もしくは質の粗密が不均一で劣悪な廃木材を再利用した集成材を混在させて家具、または建築物を作った場合は、耐性が低下し、品質も明らかに劣る。
【０００４】
さらに、木材の伐採量が植林する量を上回れば、地球の自然環境に影響する。温室効果ガスの増加を招き、異常気象の原因となる。
【０００５】
また、国内の木材が不足した場合、輸入しなければならない。だが、木材の輸入は関税がかけられるし、その他不利な条件も多い。例えば、原料は、半製品、または完成品に比して関税が何倍も高い。このため、業者は現地で加工して輸出せざるを得なくなる。これは、業者が市場のニーズに変化に対応し、機敏に生産を調整する際に不利な条件となる。
【０００６】
図１に従来の手摺子を開示する。手摺子は原始林の原木を材料としてこそ、はじめて十分な堅牢性が得られ、好ましい手摺子を作成することができる。だが、原始林は徐々に減少していて、原木は品不足になっている。このため、目下市場においては、品質の劣る製品が大量に出回っている。
【０００７】
従来の手摺子の多くは、図１に開示するように木材を裁断し、接着剤で貼着してなる集成材を以て角材５０とする。また、図示するように手摺子は３つの部分によってなり、芯材５１によって接合する。芯材は７センチメートルのスチール材によってなる。
【０００８】
然しながら、手摺子が高湿度の環境で使用される場合、集成在である角材５０は、貼着した木材が容易に剥離したり、湾曲、変形したりして損傷を受ける。また、裁断する木材は、再造林の木材を使用するが、再造林の木材は硬度が低く堅牢でない。よって、好ましい手摺子を製造することができない。だが、天然の木材は供給量に限りがあり、供給が途絶える恐れが常にある。
【考案の概要】
【考案が解決しようとする課題】
【０００９】
この考案は、好ましい強度を具え、変形しにくく、スチール製の芯材が錆びにくい手摺子を提供することを課題とする。
【課題を解決するための手段】
【００１０】
そこで、本考案者は従来の手摺子に見られる欠点に鑑み鋭意研究を重ねた結果、鉄材によってなる桿体であって、上端に第１連結部を設け、下端に第２連結部を設け、かつ該支持柱を、外周面にねじ山を形成する上部及び下部と、ねじ山を形成しない中間部とに分けるとともに、該上部と、該中間部と、該下部の外周面を被覆材で被覆し        た支持柱と、該被覆材に一体に形成する装飾部とによってなる手摺子によって課題を解決できる点に着眼し、係る知見に基づいて本考案を完成させた。
【００１１】
以下この考案について具体的に説明する。請求項１に記載する手摺子は、支持柱と、装飾部とによってなる手摺子であって、  該支持柱は、鉄材によってなる桿体であって、上端に第１連結部を設け、下端に第２連結部を設け、かつ該支持柱を、外周面にねじ山を形成する上部及び下部と、ねじ山を形成しない中間部とに分けるとともに、該上部と、該中間部と、該下部の外周面を被覆材で被覆し、該装飾部はプラスチック材によってなり、該支持柱体の被覆材と一体に形成する。
【００１２】
請求項２に記載する手摺子は、請求項１における支持柱の第１連結部が、第１固定部材を介して手摺に連結し、かつ該第１固定部材が接着剤によって固定する。
【００１３】
請求項３に記載する手摺子は、請求項１における支持柱の第１連結部が、第１固定部材を介して手摺に連結し、かつ該第１固定部材が嵌着されて固定する
【００１４】
請求項４に記載する手摺子は、請求項１における支持柱の第２連結部が、第２固定部材を介してスラブに連結し、かつ該第２固定部材が接着剤によって固定する
【００１５】
請求項５に記載する手摺子は、請求項１における支持柱の第２連結部が、第２固定部材を介してスラブに連結し、かつ該第２固定部材がセメントによって固定する
【００１６】
請求項６に記載する手摺子は、請求項１における支持柱の第２連結部が、第２固定部材を介してスラブに連結し、かつ該第２固定部材がスラブに埋設するアンカーである
【００１７】
請求項７に記載する手摺子は、請求項１における第２連結部が円柱状を呈し、かつ外周面にねじ山１２２を形成する
【考案の効果】
【００１８】
この考案による手摺子は、変形しにくく、好ましい強度を具えることから、使用寿命を延長できることができるという利点を具えるのみならず、環境保全にも寄与することができるという利点を具える。
【図面の簡単な説明】
【００１９】
【図１】従来の集成材を用いた手摺子を示した説明図である。
【図２】この考案における支持柱を示した説明図である。
【図３】第１の実施例における手摺子を示した斜視図である。
【図４】図３に開示する手摺子の断面図である。
【図５】図３に開示する手摺子を手摺とスラブとの間に設けた状態を示した説明図である。
【図６】図３に開示する手摺子を階段の欄干に用いた使用態様を示した説明図である。
【図７】第２の実施の形態による手摺子を示した斜視図である、
【図８】図７に開示する手摺子の断面図である。
【図９】図７に開示する手摺子を階段の欄干に用いた使用態様を示した説明図である。
【考案を実施するための形態】
【００２０】
この考案は、好ましい強度を具え、変形しにくく、スチール製の芯材が錆びにくい手摺子を提供するものであって、好ましい強度を具え、変形しにくく、スチール製の芯材が錆びにくい手摺子を提供するものであって、鉄材によってなる桿体であって、上端に第１連結部を設け、下端に第２連結部を設け、かつ該支持柱を、外周面にねじ山を形成する上部及び下部と、ねじ山を形成しない中間部とに分けるとともに、該上部と、該中間部と、該下部の外周面を被覆材で被覆した支持柱と、及び該被覆材に一体に形成する装飾部とによって手摺子を構成する。係る手摺子の構造と特徴を説明するために、具体的な実施例を挙げ、図面を参照にして以下に詳述する。
【実施例１】
【００２１】
図２から図６に開示するように、この考案による手摺子１は、支持柱１０と、装飾部２０とによってなる。
【００２２】
支持柱１０は、鉄材によってなる桿体であって、図３、図４に開示するように上端に第１連結部１１を設け、下端に第２連結部１２を設ける。また、図２、図４に開示するように、支持柱１０の上部１０ｂと、下部１０ｃの外周面には、ねじ山１３を形成する。但し、中間部１０ａには、ねじ山１３を形成しない。
【００２３】
また、支持柱１０の上部１０ｂと、下部１０ｃと及び中間部１０ａの外周面は被覆材２１で被覆する。
【００２４】
装飾部２０は、例えばプラスチック材によってなり、実施例においては、図示するように両端が巻かれた雲型に類似した形状にする。装飾部２０は、支持柱体１０の被覆材２１とを一体に形成する。
【００２５】
支持柱体１０の上部１０ｂと、下部１０ｃと及びねじ山１３を形成しない中間部１０ａの外周面との外周面を被覆する被覆材２１と、装飾部２０とを一体に形成することによって、被覆材２１と装飾部２０とが安定して連結し、被覆材２１と装飾部２０とが回転して位置がずれることがない。
【００２６】
図５に開示するように、支持柱１０の第２連結部１２はスラブ３０に連結する。また、支持柱１０の第１連結部１１は手摺り４０の底面に連結する。即ち、図６に開示するように、複数の手摺子１を階段の縁に設け、かつ手摺り４０を設けることによって、欄干１００を構成する。
【００２７】
以上の構成による手摺子１は、鉄材によってなる支持柱１０が湾曲、変形に対して好ましい強度を有する。また、装飾部２０が美観を呈する。よって、手摺子１は好ましい強度を具え、変形、湾曲することなく、かつ錆びにくく、好ましい安全性を具える。さらに、使用寿命が長く、環境保全にも貢献することができる。
【００２８】
図５に開示するように、上述する手摺子１において、支持柱１０の第１連結部１１は、第１固定部材１１１を介して手摺４０に連結し、第１固定部材１１１は接着剤によって固定する。
【００２９】
また、第１連結部１１と第１固定部材１１１は、嵌着方式で固定してもよい。
【００３０】
また、支持柱１０の第２連結部１２は、第２固定部材１２１を介してスラブ３０に連結し、第２固定部材１２１は接着剤によって固定する。
【００３１】
また、第２固定部材１２１は、セメントで固定してもよい。
【００３２】
また、第２固定部材１２１は、スラブ３０に埋設するアンカーであってもよい。
【００３３】
図３、４に開示するように、第２連結部１２は円柱状を呈し、外周面にねじ山１２２を形成する。外周面から凸出するねじ山１２２を形成することによって、安定した連結が得られ、外部から力を受けてねじれたり、回転したりすることがない。
【００３４】
以上述べたように、手摺子１は、支持柱１０と装飾部２０とによってなる。支持柱１０は桿体であって、上端に第１連結部１１を設け、下端に第２連結部１２を設ける。また、支持柱１０の外周面は被覆材２１で被覆する。
【００３５】
装飾部２０は、被覆材２１と一体に形成する。
【００３６】
また、図５に開示するように、支持柱１０の第１連結部１１は、第１固定部材１１１を介して手摺４０に連結し、第２連結部１２は第２固定部材１２１を介してスラブ３０に連結する。
【実施例２】
【００３７】
図７、８、９に、第２の実施の形態による手摺子を開示する。図面によれば、手摺子１は、支持柱１０と、装飾部２０とによってなる。
【００３８】
支持柱１０は、鉄材によってなる桿体であって、上端に第１連結部１１を設け、下端に第２連結部１２を設ける。また支持柱１０の上部１０ｂと、下部１０ｃの外周面には、ねじ山１３を形成する。但し、中間部１０ａには、ねじ山１３を形成しない。
【００３９】
また、支持柱１０の上部１０ｂと、下部１０ｃと及び中間部１０ａの外周面は被覆材２１で被覆する。
【００４０】
装飾部２０は、例えばプラスチック材によってなり、実施例においては、図示するように曲面を有する円柱形状にする。装飾部２０は、支持柱体１０の被覆材２１とを一体に形成する。
【００４１】
支持柱体１０の上部１０ｂと、下部１０ｃと及びねじ山１３を形成しない中間部１０ａの外周面との外周面を被覆する被覆材２１と、装飾部２０とを一体に形成することによって、被覆材２１と装飾部２０とが安定して連結し、被覆材２１と装飾部２０とが回転して位置がずれることがない。
【００４２】
支持柱１０の第２連結部１２はスラブ３０に連結する。また、支持柱１０の第１連結部１１は手摺り４０の底面に連結する。即ち、図９に開示するように、複数の手摺子１を階段の縁に設け、かつ手摺り４０を設けることによって、欄干１００を構成する。
【００４３】
以上の構成による手摺子１は、鉄材によってなる支持柱１０が湾曲、変形に対して好ましい強度を有する。また、装飾部２０が美観を呈する。よって、手摺子１は好ましい強度を具え、変形、湾曲することなく、かつ錆びにくく、好ましい安全性を具える。さらに、使用寿命が長く、環境保全にも貢献することができる。
【００４４】
図８に開示するように、支持柱体１０は、外周面を被覆材２１で被覆し、装飾部２１を一体に形成する。支持柱２０は、上端に第１連結部１１を設け、下端に第２連結部１２を設ける。
【００４５】
以上はこの考案の好ましい実施の形態であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【符号の説明】
【００４６】
１            手摺子
１０   支持柱
１０ａ 中間部
１０ｂ 上部
１０ｃ 下部
１１   第１連結部
１１１ 第１固定部材
１２   第２連結部
１２１ 第２固定部材
１２２ ねじ山
１３   ねじ山
２０   装飾部２０
２１   被覆材
３０   スラブ
４０   手摺
【図１】
0003186083.tif 000003
【図２】
0003186083.tif 000004
【図３】
0003186083.tif 000005
【図４】
0003186083.tif 000006
【図５】
0003186083.tif 000007
【図６】
0003186083.tif 000008
【図７】
0003186083.tif 000009
【図８】
0003186083.tif 000010
【図９】
0003186083.tif 000011